(57)【要約】【課題】ムービングプレートが落ち込んだとしても破損することなくコネクタ嵌合を行うことが可能な構造のコネクタを提供する。【解決手段】雄コネクタハウジング７には、コネクタ嵌合・離脱の方向に沿って雌コネクタ３を移動自在に収容するフード部１１を形成する。ムービングプレート５のプレート本体３１には、プレート持ち上げロック３５を形成する。雌コネクタハウジング４１には、ロックビーク５０を形成する。フード部１１には、剛性部２５と、フード部１１を切り欠くような形状の可撓性のリブ２０とを形成する。リブ２０は、雄コネクタ２と雌コネクタ３とのコネクタ嵌合をする前で、且つ、外力によってムービングプレート５がフード部１１の奥位置２４まで落ち込んだ状態の時に、ムービングプレート５のプレート持ち上げロック３５に対向する位置に配置形成する。【選択図】図１５
2016051666.tif 000002
【特許請求の範囲】
【請求項１】
雄コネクタ本体及びムービングプレートを備える雄コネクタと、雌コネクタ本体及びレバーを備える雌コネクタとを含み、
前記雄コネクタ本体は、絶縁性を有する樹脂製の雄コネクタハウジングと、導電性を有する複数の金属製の雄端子とを備え、
前記ムービングプレートは、絶縁性を有する樹脂製のプレート本体を有し、
前記雌コネクタ本体は、絶縁性を有する樹脂製の雌コネクタハウジングと、導電性を有する複数の金属製の雌端子とを備え、
前記雄コネクタハウジングには、コネクタ嵌合・離脱の方向に沿って前記雌コネクタを移動自在に収容するフード部と、該フード部の内部空間の奥位置に配置される雄端子収容部とを形成し、
前記雄端子には、前記雄端子収容部から前記内部空間側に突出する雄形電気接触部と、該雄形電気接触部に連続して前記雄端子収容部に収容される電線接続部とを形成し、
前記プレート本体には、前記コネクタ嵌合・離脱の方向に直交するコネクタ長手方向の両側部に配置される一対の被係止部と、前記コネクタ長手方向に直交するコネクタ短手方向の両側部に配置される一対又は複数対のプレート持ち上げロックとを形成し、
前記雌コネクタハウジングには、前記コネクタ長手方向の両側部に配置される一対のアーム作用部と、前記コネクタ短手方向の両側部に配置される一対又は複数対のロックビークとを形成し、
前記フード部には、前記コネクタ長手方向の両側部に配置される一対のアーム状係止部と、前記コネクタ短手方向の両側部に配置される一対又は複数対の剛性部とを形成し、
さらに、前記雄コネクタと前記雌コネクタとのコネクタ嵌合では、
（１）前記フード部内に前記ムービングプレートを挿入して前記アーム状係止部に前記被係止部を引っ掛けることにより前記ムービングプレートを一時的に係止させ、且つ、前記プレート本体にて前記雄形電気接触部の位置決め及び保護をし、
（２）前記ムービングプレートの一時的な係止状態で前記雌コネクタ本体を前記フード部内に挿入して前記プレート持ち上げロックを前記ロックビークにて外側に撓ませた後に前記プレート持ち上げロックと前記ロックビークとを係合させ、
（３）前記レバーを操作して前記雌コネクタ本体を前記雄コネクタ本体に近づけつつ前記雌コネクタ本体にて前記プレート本体を押圧し、且つ、前記アーム作用部にて前記ムービングプレートの前記一時的な係止状態を解除する一方、
前記雄コネクタと前記雌コネクタとのコネクタ離脱では、
（イ）前記レバーを操作して前記雌コネクタ本体を前記雄コネクタ本体から遠ざける最中に前記プレート持ち上げロックの撓みを前記剛性部にて規制する、
コネクタにおいて、
前記フード部は、該フード部を切り欠くようにして形成される複数の可撓性のリブを更に有し、
該リブを、前記コネクタ嵌合をする前に外力によって前記ムービングプレートの前記一時的な係止状態が解除され、且つ、前記ムービングプレートが前記雄端子収容部の側に落ち込んだ状態になった時に、前記プレート持ち上げロックに対向する位置に配置する
ことを特徴とするコネクタ。
【請求項２】
請求項１に記載のコネクタにおいて、
前記リブの外面を、前記フード部の外面から一段下げた位置に形成する
ことを特徴とするコネクタ。
【発明の詳細な説明】
【技術分野】
【０００１】
本発明は、雄端子の雄形電気接触部の位置決め及び保護をするためのムービングプレートが設けられたコネクタに関する。
【背景技術】
【０００２】
電気的な接続を行うため用いられるコネクタは、一方の電線束の端末に設けられる雄コネクタと、他方の電線束の端末に設けられる雌コネクタとを備えて構成される。雄コネクタは、フード部及び雄端子収容部を有する雄コネクタハウジングと、このコネクタハウジングに収容される多数の雄端子とを備えて構成される。また、雄コネクタは、雄端子が多数ある場合、ムービングプレートを更に備えて構成される。ムービングプレートは、雄コネクタに対し雌コネクタが未嵌合の状態で、雄コネクタのフード部内に突出する雄端子の雄形電気接触部（雄タブ）の位置決め及び保護をするために備えられる。ムービングプレートは、フード部の内部中間位置に一時的に係止された状態に組み付けられる。以上のようなコネクタに関しては、例えば下記特許文献１に開示される。
【０００３】
特許文献１に開示されたコネクタよりも多極になる場合は、レバーを備え、このレバーの操作によって雄コネクタと雌コネクタとのコネクタ嵌合及びコネクタ離脱を行うことが有効である。レバーの図示は特に無いが、下記特許文献２には、ムービングプレートを構成に含む多極のコネクタについて開示される。
【先行技術文献】
【特許文献】
【０００４】
【特許文献１】特開２０００−１９５６１０号公報
【特許文献２】特開２００９−１８７８６５号公報
【発明の概要】
【発明が解決しようとする課題】
【０００５】
コネクタが多極になると雄コネクタハウジングにおけるフード部の開口が大きくなることから、フード部内に一時的に係止された状態のムービングプレートに対しては、何らかの要因による外力が掛かり易くなってしまう。仮に外力が掛かるとムービングプレートがフード部の内部空間の奥位置まで落ち込んでしまう虞がある。ムービングプレートが落ち込み、そして、この落ち込みを知らずにフード部内に雌コネクタが差し込まれてコネクタ嵌合が行われると、ムービングプレートの一部及び／又は雌コネクタの一部が破損してしまうという問題点を有する（破損の具体的な説明は、実施例の欄で比較例を挙げながら説明するので、ここでは省略する）。
【０００６】
本発明は、上記した事情に鑑みてなされたもので、ムービングプレートが落ち込んだとしても破損することなくコネクタ嵌合を行うことが可能な構造のコネクタを提供することを課題とする。
【課題を解決するための手段】
【０００７】
上記課題を解決するためになされた請求項１に記載の本発明のコネクタは、雄コネクタ本体及びムービングプレートを備える雄コネクタと、雌コネクタ本体及びレバーを備える雌コネクタとを含み、前記雄コネクタ本体は、絶縁性を有する樹脂製の雄コネクタハウジングと、導電性を有する複数の金属製の雄端子とを備え、前記ムービングプレートは、絶縁性を有する樹脂製のプレート本体を有し、前記雌コネクタ本体は、絶縁性を有する樹脂製の雌コネクタハウジングと、導電性を有する複数の金属製の雌端子とを備え、前記雄コネクタハウジングには、コネクタ嵌合・離脱の方向に沿って前記雌コネクタを移動自在に収容するフード部と、該フード部の内部空間の奥位置に配置される雄端子収容部とを形成し、前記雄端子には、前記雄端子収容部から前記内部空間側に突出する雄形電気接触部と、該雄形電気接触部に連続して前記雄端子収容部に収容される電線接続部とを形成し、前記プレート本体には、前記コネクタ嵌合・離脱の方向に直交するコネクタ長手方向の両側部に配置される一対の被係止部と、前記コネクタ長手方向に直交するコネクタ短手方向の両側部に配置される一対又は複数対のプレート持ち上げロックとを形成し、前記雌コネクタハウジングには、前記コネクタ長手方向の両側部に配置される一対のアーム作用部と、前記コネクタ短手方向の両側部に配置される一対又は複数対のロックビークとを形成し、前記フード部には、前記コネクタ長手方向の両側部に配置される一対のアーム状係止部と、前記コネクタ短手方向の両側部に配置される一対又は複数対の剛性部とを形成し、さらに、前記雄コネクタと前記雌コネクタとのコネクタ嵌合では、（１）前記フード部内に前記ムービングプレートを挿入して前記アーム状係止部に前記被係止部を引っ掛けることにより前記ムービングプレートを一時的に係止させ、且つ、前記プレート本体にて前記雄形電気接触部の位置決め及び保護をし、（２）前記ムービングプレートの一時的な係止状態で前記雌コネクタ本体を前記フード部内に挿入して前記プレート持ち上げロックを前記ロックビークにて外側に撓ませた後に前記プレート持ち上げロックと前記ロックビークとを係合させ、（３）前記レバーを操作して前記雌コネクタ本体を前記雄コネクタ本体に近づけつつ前記雌コネクタ本体にて前記プレート本体を押圧し、且つ、前記アーム作用部にて前記ムービングプレートの前記一時的な係止状態を解除する一方、前記雄コネクタと前記雌コネクタとのコネクタ離脱では、（イ）前記レバーを操作して前記雌コネクタ本体を前記雄コネクタ本体から遠ざける最中に前記プレート持ち上げロックの撓みを前記剛性部にて規制する、コネクタにおいて、前記フード部は、該フード部を切り欠くようにして形成される複数の可撓性のリブを更に有し、該リブを、前記コネクタ嵌合をする前に外力によって前記ムービングプレートの前記一時的な係止状態が解除され、且つ、前記ムービングプレートが前記雄端子収容部の側に落ち込んだ状態になった時に、前記プレート持ち上げロックに対向する位置に配置することを特徴とする。
【０００８】
請求項２に記載の本発明は、請求項１に記載のコネクタにおいて、前記リブの外面を、前記フード部の外面から一段下げた位置に形成することを特徴とする。
【発明の効果】
【０００９】
請求項１に記載された本発明によれば、ムービングプレートがフード部の内部空間の奥位置まで落ち込んだ状態において、ムービングプレートのプレート持ち上げロックに対向するフード部の箇所が剛性部でなく可撓性を有するリブに形成されることから、上記落ち込んだ状態でコネクタ嵌合が行われ、そして、雌コネクタハウジングのロックビークによりプレート持ち上げロックが外側に撓ませられるような力を受けても、プレート持ち上げロックはリブとともに外側に撓むことができる。すなわち、プレート持ち上げロックとロックビークとの係合を破損なく行うことができる。従って、本発明のコネクタを採用することで、ムービングプレートが落ち込んだとしても破損することなくコネクタ嵌合を行うことができるという効果を奏する。
【００１０】
請求項２に記載された本発明によれば、プレート持ち上げロックが外側に撓んだ時にフード部の外面からリブを突出させないので、リブを外力から保護できるという効果を奏する。
【図面の簡単な説明】
【００１１】
【図１】本発明のコネクタの構成を示す分解斜視図である。
【図２】図１の雄コネクタの拡大分解斜視図である。
【図３】図１の雌コネクタの拡大分解斜視図である。
【図４】コネクタ嵌合を開始した直後のコネクタの状態を示す正面図である。
【図５】図４のＢ−Ｂ線断面図である。
【図６】図５の要部拡大図である。
【図７】リブの斜視図（断面を含む）である。
【図８】ロックビークとプレート持ち上げロックとを係合させた直後のコネクタの状態を示す図であり、（ａ）は正面図（断面を含む）、（ｂ）は（ａ）のＢ−Ｂ線断面図である。
【図９】図８（ａ）の正面右側の要部拡大図である。
【図１０】図８（ａ）の正面左側の要部拡大図である。
【図１１】図８（ｂ）の拡大図である。
【図１２】雌コネクタを押し込んで雌コネクタ本体がムービングプレートに当接した時のコネクタの状態を示す図であり、（ａ）は正面図（断面を含む）、（ｂ）は（ａ）のＢ−Ｂ線断面図である。
【図１３】レバー操作を開始して雌コネクタ本体がムービングプレートを押圧した時のコネクタの状態を示す図であり、（ａ）は正面図（断面を含む）、（ｂ）は（ａ）のＢ−Ｂ線断面図である。
【図１４】レバー操作を終えて雌コネクタ本体がムービングプレートをフード部の奥位置まで移動した時のコネクタの状態を示す図であり、（ａ）は正面図（断面を含む）、（ｂ）は（ａ）のＢ−Ｂ線断面図である。
【図１５】ムービングプレートがフード部の奥位置まで落ち込んだ時の状態を示す拡大断面図である。
【図１６】比較例としてのコネクタの正面図である。
【図１７】図１６のＣ−Ｃ線断面図であり、ムービングプレートに何らかの要因による外力が掛かったことを示す図である。
【図１８】比較例としてのコネクタの図であり、破損の過程に関する具体的な説明図である。
【発明を実施するための形態】
【００１２】
コネクタは、雄コネクタ本体及びムービングプレートを備える雄コネクタと、雌コネクタ本体及びレバーを備える雌コネクタとを含んで構成される。雄コネクタ本体は、雄コネクタハウジングと複数の金属製の雄端子とを備え、ムービングプレートはプレート本体を有する。一方、雌コネクタ本体は、雌コネクタハウジングと複数の金属製の雌端子とを備える。
【００１３】
雄コネクタハウジングには、コネクタ嵌合・離脱の方向に沿って雌コネクタを移動自在に収容するフード部を形成する。プレート本体には、コネクタ短手方向の両側部に配置される一対又は複数対のプレート持ち上げロックを形成する。雌コネクタハウジングには、コネクタ短手方向の両側部に配置される一対又は複数対のロックビークを形成する。
【００１４】
フード部には、コネクタ短手方向の両側部に配置される一対又は複数対の剛性部と、フード部を切り欠くような形状の複数の可撓性のリブとを形成する。リブは、雄コネクタと雌コネクタとのコネクタ嵌合をする前で、且つ、外力によってムービングプレートがフード部の奥位置まで落ち込んだ状態の時に、ムービングプレートのプレート持ち上げロックに対向する位置に配置形成する。
【実施例】
【００１５】
以下、図面を参照しながら実施例を説明する。図１は本発明のコネクタの構成を示す分解斜視図である。また、図２は図１の雄コネクタの拡大分解斜視図、図３は図１の雌コネクタの拡大分解斜視図、図４はコネクタ嵌合を開始した直後のコネクタの状態を示す正面図、図５は図４のＢ−Ｂ線断面図、図６は図５の要部拡大図、図７はリブの斜視図（断面を含む）である。
【００１６】
＜コネクタの構成＞
図１において、コネクタ１は、例えば自動車のカウルサイドで用いられるものである。もう少し詳しく説明をすると、所謂インパネやエンジン、フロア等に配策された多くの電線（回路）を集結するために用いられるものである。コネクタ１は、雄コネクタ２と、雌コネクタ３とを備えて構成される。雄コネクタ２と、雌コネクタ３は、矢印Ａ方向に沿ってコネクタ嵌合・離脱をする。コネクタ１は、図からも分かるように多極コネクタであって、比較的大きな物として形成される。先ず、雄コネクタ２と雌コネクタ３の構成及び構造にていて説明をする。
【００１７】
＜雄コネクタの構成＞
図１及び図２において、雄コネクタ２は、雄コネクタ本体４と、ムービングプレート５とを含んで構成される。
【００１８】
＜雄コネクタ本体の構成と、雄端子の構成及び構造＞
雄コネクタ本体４は、導電性を有する複数の（多数の）金属製の雄端子６（図８及び図１１参照）と、絶縁性を有する樹脂製の雄コネクタハウジング７とを備えて構成される。雄端子６は、雄形電気接触部８と、この雄形電気接触部８に連続する電線接続部９とを有する。雄形電気接触部８は、雄タブやピンなどと呼ばれる雄形に形成される。電線接続部９は、電線１０の端末に接続される部分として形成される（図８及び図１１参照）。
【００１９】
＜雄コネクタハウジングの構造＞
図１ないし図５において、雄コネクタハウジング７は、フード部１１と、雄端子収容部１２とを有する。フード部１１と雄端子収容部１２は、樹脂成形により一体の形状に形成される。また、フード部１１は、コネクタ嵌合・離脱の方向（矢印Ａの方向）に沿って雌コネクタ３を移動自在に収容する部分として形成される。ここで、コネクタ嵌合・離脱の方向に直交する方向を、図１に示す如くコネクタ長手方向及びコネクタ短手方向と定義すると、フード部１１は、コネクタ長手方向に沿って形成される一対の長手側壁１３、１４と、コネクタ短手方向に沿って形成される一対の短手側壁１５、１６と、開口部１７と、内部空間１８とを有する（別な言い方をすれば、コネクタ長手方向の両側部に短手側壁１５、１６が配置形成され、コネクタ短手方向の両側部に長手側壁１３、１４が配置形成され、この他に開口部１７と内部空間１８とが形成される）。
【００２０】
長手側壁１３には、ブラケット取付部１９が形成される。このブラケット取付部１９は、図示しないブラケットに取り付けられる部分であって、外面側に形成される。また、長手側壁１３には、本発明の特徴部分であるリブ２０が二カ所形成される。
【００２１】
リブ２０は、コネクタ嵌合・離脱の方向にのびる片持ちのアーム形状に形成される。リブ２０は、長手側壁１３を切り欠くようにして形成される。図７の引用符号２１は、リブ２０を形成する際に生じる切り欠きを示す。切り欠き２１は、大きな隙間にならないように形成されることが好ましい。
【００２２】
リブ２０は、可撓性を有し、長手側壁１３の内面側から外面側に向けて撓ませることができるように形成される。リブ２０は、この外面が長手側壁１３の外面よりも一段下がった位置に配置形成される。本実施例では、リブ２０が外側に撓んでもリブ２０の一部が長手側壁１３の外面から突出しない形状に形成される。リブ２０は、この存在が本発明の特徴であるとともに、ムービングプレート５が後述する落ち込んだ状態にある時に、後述するプレート持ち上げロック３５に対向する位置（又は後述する奥位置２４）に配置されることも特徴である。以上のようなリブ２０は、長手側壁１４にも二カ所形成される。リブ２０は、本実施例において、長手側壁１３、１４で見れば二対形成される。
【００２３】
長手側壁１３、１４の各内面には、支点突起収容溝２２と、ロック対向部２３とが形成される。支点突起収容溝２２は、後述するレバー３９の支点突起５６を収容して案内する溝部分として形成される。尚、支点突起収容溝２２や支点突起５６は、ＬＩＦ機構の一部であり、ここでは詳細な説明を省略する。ロック対向部２３は、コネクタ嵌合・離脱の方向に沿ってのびるように形成される。別な言い方をすれば、開口部１７からフード部１１の内部空間１８の後述する奥位置２４まで真っ直ぐのびるように形成される。また、ロック対向部２３は、ムービングプレート５の後述するプレート持ち上げロック３５に対向する位置に配置形成される。
【００２４】
図６及び図７において、ロック対向部２３は、上記の如くフード部１１の奥位置２４にまでのびて形成される。そして、この奥位置２４におけるロック対向部２３には、リブ２０及び切り欠き２１が配置形成される。また、リブ２０及び切り欠き２１の近傍には、剛性部２５が配置形成される。この剛性部２５は、ムービングプレート５の後述するプレート持ち上げロック３５を撓ませないように規制をする部分として形成される。すなわち、撓みを規制してプレート持ち上げロック３５と雌コネクタ３の後述するロックビーク５０との係合が解除されないようにするための部分として形成される。剛性部２５は、ロック対向部２３の溝底面から突出するような形状に形成される。尚、剛性部２５よりも開口部１７側の空間は、プレート持ち上げロック３５に対する撓み許容空間２６になる。
【００２５】
図８ないし図１０において、短手側壁１５、１６の各内面には、ムービングプレート５や雌コネクタ３に対するガイド部（符号省略）が形成される。また、各内面には、アーム状係止部２７も形成される。アーム状係止部２７は、ムービングプレート５を一時的に係止させるアーム状の係止部分として形成される。アーム状係止部２７は、このアーム基端部分が内面中間に連成されるとともに、アーム先端側がフード部１１の奥側に向くように形成される。また、アーム状係止部２７は、アーム先端側が外側に移動するような可撓性を有する部分に形成される。アーム状係止部２７には、特に図示しないが、ムービングプレート５を引っ掛けるフック状の部分が形成される。
【００２６】
図２、図５、及び図１１において、雄端子収容部１２は、フード部１１の内部空間１８の奥位置２４に連続するように配置形成される。雄端子収容部１２には、端子収容室２８が複数（多数）形成される。端子収容室２８には、雄端子６を係止するためのランス（符号省略）が形成される。本実施例においては、端子収容室２８に収容された雄端子６がスペーサ２９により二重に係止される。雄端子６は、この雄形電気接触部８が隔壁３０を貫通して内部空間１８に突出するような状態で収容される。
【００２７】
＜ムービングプレートの構造＞
図２及び図３において、ムービングプレート５は、絶縁性を有する樹脂成形品であって、フード部１１の内部中間位置に一時的に係止されるように組み付けられる。ムービングプレート５は、雄コネクタ２に対し雌コネクタ３が未嵌合の状態にある時に、フード部１１内に突出する雄端子６の雄形電気接触部８の位置決め及び保護をすることができるように形成される。このようなムービングプレート５は、プレート本体３１を有する図示形状に形成される。尚、ムービングプレート５は、アライニングプレートと呼ばれることもある。
【００２８】
プレート本体３１は、フード部１１の断面形状に合わせた外形を有する板状の部分に形成される。本実施例においては、コネクタ長手方向に沿った辺が比較的長くなる長方形の板状部分に形成される。プレート本体３１には、雄形電気接触部８を挿通するための挿通部３２が複数（多数）貫通形成される。この他、プレート本体３１には、一対の被係止部３３と、一対のガイド部３４と、二対のプレート持ち上げロック３５とが形成される。
【００２９】
被係止部３３は、雄コネクタハウジング７の短手側壁１５、１６に対向する側部に配置形成される（別な言い方をすれば、コネクタ長手方向の両側部に配置形成される）。被係止部３３は、雄コネクタハウジング７のアーム状係止部２７（図８ないし図１０参照）に引っ掛かり一時的に係止される部分として形成される。被係止部３３は、プレート本体３１の裏面側に配置形成される。
【００３０】
ガイド部３４は、可撓性を有する片状の部分に形成される。このようなガイド部３４は、被係止部３３の反対側の位置に、すなわち表面側に配置形成される。ガイド部３４は、雄コネクタハウジング７の短手側壁１５、１６と、雌コネクタ３の後述する雌コネクタ本体３８との間に介在するように配置形成される。
【００３１】
プレート持ち上げロック３５は、雄コネクタハウジング７の長手側壁１３、１４に対向する側部に二つずつ配置形成される（別な言い方をすれば、コネクタ短手方向の両側部に二つずつ配置形成される）。プレート持ち上げロック３５は、雌コネクタ３の後述する雌コネクタ本体３８に対し係合・離脱する部分として形成される。プレート持ち上げロック３５は、雌コネクタ３に向けて突出するようなアーム片状の部分に形成される。プレート持ち上げロック３５は、外側に撓むような可撓性を有する。
【００３２】
このようなプレート持ち上げロック３５の先端側には、内側に突出する係合部３６と、外側に突出する当接部３７とが形成される。係合部３６は、雌コネクタ３の後述するロックビーク５０との係合部分として形成される。尚、係合部３６は、ロックビーク５０に対し離脱可能な部分にも形成される。一方、当接部３７は、プレート持ち上げロック３５が外側に撓んだ際に、雄コネクタ２におけるロック対向部２３の剛性部２５やリブ２０に当接する部分として形成される。
【００３３】
プレート持ち上げロック３５は、コネクタ離脱の際に、すなわち雌コネクタ３が雄コネクタ２から遠ざかる際に、雌コネクタ３によってムービングプレート５を持ち上げる部分として形成される。
【００３４】
＜雌コネクタの構成＞
図１及び図３において、雌コネクタ３は、雌コネクタ本体３８と、レバー３９とを含んで構成される。
【００３５】
＜雌コネクタ本体の構成と、雌端子の構成及び構造＞
雌コネクタ本体３８は、導電性を有する複数の（多数の）金属製の雌端子４０（図８及び図１１参照）と、絶縁性を有する樹脂製の雌コネクタハウジング４１とを備えて構成される。雌端子４０は、雌形電気接触部４２と、この雌形電気接触部４２に連続する電線接続部４３とを有する。雌形電気接触部４２は、雄形電気接触部８との電気的な接続を行う部分として箱形に形成される。一方、電線接続部４３は、電線４４の端末に接続される部分として形成される（図８及び図１１参照）。
【００３６】
＜雌コネクタハウジングの構造＞
図３、図５、図８〜図１１において、雌コネクタハウジング４１は、雄コネクタ２の長手側壁１３、１４及び短手側壁１５、１６に対向する一対の長手側壁４５及び一対の短手側壁４６と、ムービングプレート５のプレート本体３１に対向するプレート対向壁４７とを有して箱形に形成される。雌コネクタハウジング４１の内部には、端子収容室４８が複数（多数）形成される。また、雌コネクタハウジング４１は、雌端子４０に対する収納部分としても形成される。端子収容室４８には、雌端子４０を係止するためのランス（符号省略）が形成される。本実施例においては、端子収容室４８に収容された雌端子４０がスペーサ４９により二重に係止される。雌端子４０は、プレート対向壁４７を介して挿入される雄端子６の雄形電気接触部８と電気的に接続される。
【００３７】
各長手側壁４５には、凸状のロックビーク５０が二つずつ形成される。このロックビーク５０は、プレート対向壁４７の近傍に配置形成される。ロックビーク５０は、コネクタ嵌合の際に、ムービングプレート５のプレート持ち上げロック３５に当接してこれを外側に押し広げた後、プレート持ち上げロック３５に係合する部分として形成される。また、ロックビーク５０は、コネクタ離脱の際に（雌コネクタ３が雄コネクタ２から遠ざかる際に）、係合状態にあるプレート持ち上げロック３５を介してムービングプレート５を持ち上げ、そして、この後に係合解除が可能な部分として形成される。尚、長手側壁４５における引用符号５１、５２は、レバー３９に係合するカム突起を示す。
【００３８】
各短手側壁４６には、凸状のアーム作用部５３が二つずつ形成される（図３、図８〜図１０参照）。このアーム作用部５３は、プレート対向壁４７の近傍に配置形成される。アーム作用部５３は、コネクタ嵌合の際に、雄コネクタ２のアーム状係止部２７に当接してこれを外側に押し広げ、そして、ムービングプレート５の一時的な係止状態を解除する部分として形成される。また、アーム作用部５３は、コネクタ離脱の際に（雌コネクタ３が雄コネクタ２から遠ざかる際に）、ムービングプレート５を再度、一時的な係止状態に復帰させる部分としても形成される。
【００３９】
＜レバーの構造＞
図３、図５、図８〜図１１において、レバー３９は、樹脂成形品であって、ＬＩＦ機構の一部として用いられる。レバー３９には、雌コネクタ本体３８のカム突起５１、５２に係合するカム溝５４、５５が形成される。また、レバー３９には、雄コネクタ２の支点突起収容溝２２に係合する支点突起５６や、雄コネクタ２に係合する仮止め部５７等が形成される。レバー３９は、公知の構造であり、操作部５８を持って回転操作が行われる。
【００４０】
次に、上記構成及び構造に基づきながら、雄コネクタ２の組み付け、雌コネクタ３の組み付け、これら雄コネクタ２と雌コネクタ３の組み付け（コネクタ嵌合・離脱）について説明をする。
【００４１】
図８はロックビーク５０とプレート持ち上げロック３５とを係合させた直後のコネクタ１の状態を示す図であり、（ａ）は正面図（断面を含む）、（ｂ）は（ａ）のＢ−Ｂ線断面図である。また、図９は図８（ａ）の正面右側の要部拡大図である。また、図１０は図８（ａ）の正面左側の要部拡大図である。また、図１１は図８（ｂ）の拡大図である。また、図１２は雌コネクタ３を押し込んで雌コネクタ本体３８がムービングプレート５に当接した時のコネクタ１の状態を示す図であり、（ａ）は正面図（断面を含む）、（ｂ）は（ａ）のＢ−Ｂ線断面図である。
【００４２】
また、図１３はレバー操作を開始して雌コネクタ本体３８がムービングプレート５を押圧した時のコネクタ１の状態を示す図であり、（ａ）は正面図（断面を含む）、（ｂ）は（ａ）のＢ−Ｂ線断面図である。また、図１４はレバー操作を終えて雌コネクタ本体３８がムービングプレート５をフード部１１の奥位置２４まで移動した時のコネクタ１の状態を示す図であり、（ａ）は正面図（断面を含む）、（ｂ）は（ａ）のＢ−Ｂ線断面図である。また、図１５はムービングプレート５がフード部１１の奥位置２４まで落ち込んだ時の状態を示す拡大断面図である。
【００４３】
＜雄コネクタの組み付け＞
図２及び図５において、雄コネクタハウジング７の雄端子収容部１２に雄端子６を収容係止するとともに、スペーサ２９にて雄端子６を二重に係止して雄コネクタ本体４の組み付けをすると、雄端子６の雄形電気接触部８が隔壁３０を貫通して内部空間１８に突出する（雄端子６に関しては図８及び図１１参照）。雄コネクタ本体４の組み付け後は、開口部１７を介してフード部１１の内部空間１８にムービングプレート５を挿入して、このムービングプレート５を一時的に係止した状態にすると、雄コネクタ２の組み付けが完了する。ムービングプレート５の一時的な係止状態において、内部空間１８に突出した雄形電気接触部８は、プレート本体３１にて位置決め及び保護（図１１参照）される。
【００４４】
＜雌コネクタの組み付け＞
図３及び図５において、雌コネクタハウジング４１の端子収容室４８に雌端子４０を収容係止するとともに、スペーサ４９にて雌端子４０を二重に係止して雌コネクタ本体３８の組み付けをすると、プレート対向壁４７の奥に雌端子４０の雌形電気接触部４２が配置される。この後、雌コネクタ本体３８の外側にレバー３９を回転操作自在に取り付けるとともに、図示の如くレバー３９を初期位置に取り付けると、雌コネクタ３の組み付けが完了する。
【００４５】
＜コネクタ嵌合＞
図４及び図５において、コネクタ嵌合の方向（矢印Ａの方向）に沿って雌コネクタ３を雄コネクタ２のフード部１１に挿入すると、雌コネクタ本体３８のロックビーク５０がムービングプレート５のプレート持ち上げロック３５に当接し（図６参照）、これによりプレート持ち上げロック３５は、撓み許容空間２６があることから外側に押し広げられる。そして、ロックビーク５０がプレート持ち上げロック３５の係合部３６を通過すると、このプレート持ち上げロック３５が撓んだ状態から元の状態に戻り、これによりロックビーク５０とプレート持ち上げロック３５との係合が完了する（図１２参照）。
【００４６】
ロックビーク５０とプレート持ち上げロック３５との係合が完了すると、図１２に示す如く、雌コネクタ３における雌コネクタ本体３８のプレート対向壁４７がムービングプレート５のプレート本体３１に面接触する（当接する）。この時、ムービングプレート５によって位置決めされた雄形電気接触部８の先端がプレート対向壁４７に挿入される。そしてまた、雌コネクタ本体３８のアーム作用部５３が雄コネクタ２のアーム状係止部２７に当接し、これを外側に押し広げると、アーム状係止部２７によるムービングプレート５の上記係止状態が解除される。
【００４７】
雌コネクタ３の上記挿入により、レバー３９の支点突起５６が雄コネクタ２の支点突起収容溝２２に挿入され、そして、コネクタ嵌合の方向に沿って案内される（図８及び図１０参照）。図１３において、レバー３９を矢印の方向に回転操作すると、雌コネクタ本体３８がフード部１１の奥位置２４に向けて移動する。この時、ムービングプレート５のプレート本体３１は、雌コネクタ本体３８のプレート対向壁４７に押圧される。
【００４８】
尚、図１３の状態の時、ムービングプレート５のプレート持ち上げロック３５がフード部１１の剛性部２５の近傍を通過する。
【００４９】
図１４において、レバー３９の回転操作を終えると、雌コネクタ本体３８がムービングプレート５のプレート本体３１を介在させた状態でフード部１１の奥位置２４まで移動する。これにより、雄形電気接触部８が雌形電気接触部４２に完全に挿入されて雄端子６と雌端子４０との電気的な接続が完了する。以上により、雄コネクタ２と雌コネクタ３とのコネクタ嵌合が完了する。
【００５０】
尚、図１４の状態の時、すなわちムービングプレート５がフード部１１の奥位置２４にある時、ムービングプレート５のプレート持ち上げロック３５の近傍には、フード部１１のリブ２０が存在する。
【００５１】
＜コネクタ離脱＞
上記コネクタ嵌合の逆の操作を行うことになり、レバー３９を初期位置に向けて回転操作し始めると、この時、雌コネクタ本体３８のロックビーク５０がムービングプレート５のプレート持ち上げロック３５に係合した状態にあることから、雌コネクタ本体３８はムービングプレート５を持ち上げてフード部１１の奥位置２４から離れる方向に移動する（図１３及び図１４参照）。移動が開始されると、ムービングプレート５のプレート持ち上げロック３５がフード部１１の剛性部２５の近傍を通過する。
【００５２】
雌コネクタ本体３８のアーム作用部５３が雄コネクタ２のアーム状係止部２７に当接し、これを外側に押し広げると、アーム状係止部２７によるムービングプレート５の上記係止状態の復帰が行われる（図１２及び図１３参照）。
【００５３】
図１３に示す如くレバー３９の回転操作を終えてレバー３９を初期位置まで戻し、更に、雌コネクタ３をフード部１１から抜こうとすると、図１１及び図１２に示す如く、雌コネクタ本体３８のロックビーク５０がムービングプレート５のプレート持ち上げロック３５に当接し、これによりプレート持ち上げロック３５は、撓み許容空間２６があることから外側に押し広げられる。そして、ロックビーク５０がプレート持ち上げロック３５の係合部３６を通過すると、ロックビーク５０とプレート持ち上げロック３５との係合が解除される（図５及び図６参照）。
【００５４】
雌コネクタ３をフード部１１から抜き取ると、雄コネクタ２と雌コネクタ３とのコネクタ離脱が完了する。
【００５５】
＜コネクタの特徴＞
以上のようなコネクタ１であるが、何らかの要因により外力が掛かると、ムービングプレート５がフード部１１の奥位置２４まで落ち込んでしまう虞がある。ムービングプレート５が落ち込み、そして、この落ち込みを知らずにフード部１１内に雌コネクタ３が差し込まれてコネクタ嵌合が行われることが想定されるが、本発明のコネクタ１では次のような特徴を有し、何ら問題はない。
【００５６】
すなわち、図１５に示す如くムービングプレート５がフード部１１の奥位置２４に落ち込んだ状態の時、ムービングプレート５のプレート持ち上げロック３５の近傍にフード部１１のリブ２０が存在することから、プレート持ち上げロック３５が雌コネクタ本体３８のロックビーク５０の当接により外側に撓ませられるような力を受けても、プレート持ち上げロック３５はリブ２０とともに外側に撓むことができる。従って、プレート持ち上げロック３５とロックビーク５０との係合を破損なく行うことができる。
【００５７】
＜比較例による破損の具体的な説明＞
図１６は比較例としてのコネクタの正面図である。また、図１７は図１６のＣ−Ｃ線断面図であり、ムービングプレートに何らかの要因による外力が掛かったことを示す図である。また、図１８は比較例としてのコネクタの図であり、破損の過程に関する具体的な説明図である。尚、本発明と同じ構成部材には同一の符号を付して説明を省略する。
【００５８】
図１６及び図１７において、比較例としてのコネクタ１０１は、上記本発明と比べフード部１０２のみ異なるもので、リブ２０（図１５参照）が存在せず、また、剛性部１０３が大きく形成される。図１７に示す如く一時的な係止状態にあるムービングプレート５に対し外力が加わると、ムービングプレート５は図１８に示す如く奥位置２４まで落ち込んでしまう。従って、ムービングプレート５の落ち込みを知らずにフード部１０２内に雌コネクタ３が差し込まれてコネクタ嵌合が行われると、プレート持ち上げロック３５にロックビーク５０が当接する。そして、この時にプレート持ち上げロック３５は剛性部１０３の存在により外側への撓みが規制され、結果、この部分での破損が生じてしまう。
【００５９】
＜コネクタの効果＞
以上、図１ないし図１８を参照しながら説明してきたように、本発明のコネクタ１を採用することで、ムービングプレート５が落ち込んだとしても破損することなくコネクタ嵌合を行うことができるという効果を奏する。
【００６０】
本発明は本発明の主旨を変えない範囲で種々変更実施可能なことは勿論である。
【符号の説明】
【００６１】
Ａ…コネクタ嵌合・離脱の方向、  １…コネクタ、  ２…雄コネクタ、  ３…雌コネクタ、  ４…雄コネクタ本体、  ５…ムービングプレート、  ６…雄端子、  ７…雄コネクタハウジング、  ８…雄形電気接触部、  ９…電線接続部、  １０…電線、  １１…フード部、  １２…雄端子収容部、  １３、１４…長手側壁、  １５、１６…短手側壁、  １７…開口部、  １８…内部空間、  １９…ブラケット取付部、  ２０…リブ、  ２１…切り欠き、  ２２…支点突起収容溝、  ２３…ロック対向部、  ２４…奥位置、  ２５…剛性部、  ２６…撓み許容空間、  ２７…アーム状係止部、  ２８…端子収容室、  ２９…スペーサ、  ３０…隔壁、  ３１…プレート本体、  ３２…挿通部、  ３３…被係止部、  ３４…ガイド部、  ３５…プレート持ち上げロック、  ３６…係合部、  ３７…当接部、  ３８…雌コネクタ本体、  ３９…レバー、  ４０…雌端子、  ４１…雌コネクタハウジング、  ４２…雌形電気接触部、  ４３…電線接続部、  ４４…電線、  ４５…長手側壁、  ４６…短手側壁、  ４７…プレート対向壁、  ４８…端子収容室、  ４９…スペーサ、  ５０…ロックビーク、  ５１、５２…カム突起、  ５３…アーム作用部、  ５４、５５…カム溝、  ５６…支点突起、  ５７…仮止め部、  ５８…操作部
【図１】
2016051666.tif 000003
【図２】
2016051666.tif 000004
【図３】
2016051666.tif 000005
【図４】
2016051666.tif 000006
【図５】
2016051666.tif 000007
【図６】
2016051666.tif 000008
【図７】
2016051666.tif 000009
【図８】
2016051666.tif 000010
【図９】
2016051666.tif 000011
【図１０】
2016051666.tif 000012
【図１１】
2016051666.tif 000013
【図１２】
2016051666.tif 000014
【図１３】
2016051666.tif 000015
【図１４】
2016051666.tif 000016
【図１５】
2016051666.tif 000017
【図１６】
2016051666.tif 000018
【図１７】
2016051666.tif 000019
【図１８】
2016051666.tif 000020